(57)【要約】【課題】照明の収まるスペースを小さく形成することができ、しかも、構成部材の数が少なく構造が簡単な庇を提供する。【解決手段】建物の側面にブラケットＢ１，Ｂ２を介して固定され、底面に開口部１２ａが設けられたパネル１０と、このパネル１０の開口部１２ａに設けられた照明用の発光ダイオード素子を含む照明部３０とを具備した。パネル１０は、アルミニウム合金製のコア材を用いたハニカム構造で、ろう付けにより接合されてなる。発光ダイオード素子から発せられる光は、虫を誘引しやすい波長の光を除去された、４００ｎｍ以上の波長とされた光とする。【選択図】図２
2006328936.tif 000002
【特許請求の範囲】
【請求項１】
建物の側面にブラケットを介して固定され、底面に開口部が設けられたパネルと、
このパネルの前記開口部に設けられた照明用の発光ダイオード素子とを具備したことを特徴とする庇。
【請求項２】
前記パネルは、枠材と、この枠材を挟んで固定される一対の面板とを含み、前記照明用の発光ダイオード素子は、前記パネル内に形成される中空部に配置されていることを特徴とする請求項１に記載の庇。
【請求項３】
前記照明用の発光ダイオード素子は、有底筒状のホルダ内に防水部材を介して保持されており、このホルダが前記開口部内に固定されることを特徴とする請求項１または請求項２に記載の庇。
【請求項４】
前記ホルダは、その下端部が前記開口部の縁部から下方に突出することを特徴とする請求項３に記載の庇。
【請求項５】
前記枠材に沿って前記建物の側面側まで付設された補強部材を備え、前記ホルダは前記補強部材に固定されることを特徴とする請求項３または請求項４に記載の庇。
【請求項６】
前記補強部材がアルミニウム合金製の中空押出形材からなり、前記照明用の発光ダイオード素子のハーネスが前記補強部材の内部を通じて前記建物の側面側に配索されることを特徴とする請求項５に記載の庇。
【請求項７】
前記枠材および面板の一種または全種が、アルミニウム合金製であることを特徴とする請求項２から請求項６のいずれか１項に記載の庇。
【請求項８】
前記パネルは、アルミニウム合金製のコア材を用いたハニカム構造であることを特徴とする請求項１から請求項７のいずれか１項に記載の庇。
【請求項９】
前記パネルは、ろう付けにより接合されてなることを特徴とする請求項８に記載の庇。
【請求項１０】
前記発光ダイオード素子から発せられる光は、虫を誘引しやすい波長の光を除去された光であることを特徴とする請求項１から請求項９のいずれか１項に記載の庇。
【請求項１１】
発せられる前記光の波長が４００ｎｍ以上であることを特徴とする請求項１から請求項１０のいずれか１項に記載の庇。
【請求項１２】
建物の側面にブラケットを介して固定され、底面に開口部が設けられたパネルと、
このパネルの前記開口部に設けられた照明用の光源と、を備え、
前記光源から発せられる光が虫を誘引しやすい波長の光を除去された光であることを特徴とする庇。
【請求項１３】
建物の側面にブラケットを介して固定され、底面に開口部が設けられたパネルと、
このパネルの前記開口部に設けられた照明用の光源と、を備え、
前記光源から発せられる光の波長が４００ｎｍ以上であることを特徴とする庇。
【発明の詳細な説明】
【技術分野】
【０００１】
本発明は、庇に関し、特に、照明を備えた庇に関するものである。
【背景技術】
【０００２】
従来、住宅等の建物の側面に設置される庇に照明器具を設けたものが提案されている（例えば、特許文献１〜４参照）。
【０００３】
特許文献１に記載された庇は、庇本体内に照明器具が内蔵されており、庇本体の取付面側に設けられた接続端子が建物側の接続端子に電気的に接続された構成となっている。
また、特許文献２に記載された庇は、外壁近傍の庇天井に照明器具用の開口部が形成されており、開口部内に照明器具が設けられた構成となっている。
さらに、特許文献３に記載された庇は、庇本体ののき部の内側に照明器具（照明用の光源灯）が設けられた構成となっている。
また、特許文献４に記載された庇は、内部に照明器具を有しており、建物の外壁に取り付けられたコンセントに照明器具のプラグが接続された構成となっている。
【特許文献１】特開２０００−２７３５０号公報
【特許文献２】特開２００３−４１７００号公報
【特許文献３】実公平４−３３３０７号公報
【特許文献４】実開昭５５−１５８５０４号公報
【発明の開示】
【発明が解決しようとする課題】
【０００４】
前記した従来の庇は、いずれも、庇本体の内部に照明器具（電球）を設けるために、それに見合う凹部が形成されており、照明器具が内部に納まる分の厚さを有していた。このため、圧迫感があり、照明を備えた庇において薄型化を図るべく改善が望まれていた。
また、一方で、庇の設置し易さを考慮すると、構成部材の数が少なく簡単な構造よりなる庇が望まれていた。
【０００５】
また、照明の設置された庇では、飛翔昆虫などの虫を誘引するおそれがあった。
【０００６】
そこで、本発明は、照明の収まるスペースを小さく形成することができ、しかも、構成部材の数が少なく構造が簡単な庇を提供することを目的とする。
【０００７】
また、本発明は、照明を有している構成でありながらも、誘虫性を低減することができる庇を提供することを目的とする。
【課題を解決するための手段】
【０００８】
前記課題を解決するため、本発明の庇は、建物の側面にブラケットを介して固定されるパネルと、このパネルの底面に設けられた開口部と、この開口部に設けられた照明用の発光ダイオード素子とを具備したことを特徴とする。
【０００９】
かかる庇によれば、建物の側面にブラケットを介してパネルを固定することにより庇を構築することができ、構成部材の数が少なく簡単な構造よりなる庇が得られる。また、庇に設けられる照明として照明用の発光ダイオード素子が用いられているので、従来のように照明器具（電球）を設置する場合に比べて、開口部内における設置スペース（照明の納まるスペース）を小さく形成することができ、それに見合う薄さにパネルを形成することができる。したがって、照明を備え、かつ、薄型化を図ることができる庇が得られる。
【００１０】
また、庇に設けられる照明として照明用の発光ダイオード素子が用いられているので、省電力性に優れ、しかも耐久性が高く、メンテナンス性にも優れた庇が得られる。
【００１１】
しかも、パネルにより庇が構築されるとともに、その底面の開口部から照明の光が差して足元を照らすようになっているので、従来の庇のような重圧感が無く、軽やかで、開放感が得られるという利点が得られる。
【００１２】
また、前記パネルは、枠材と、この枠材を挟んで固定される一対の面板とを含み、前記照明用の発光ダイオード素子は、前記パネル内に形成される中空部に配置されている構成とするのがよい。
【００１３】
かかる庇によれば、パネルは、枠材と、この枠材を挟んで固定される一対の面板とを含んで構成されるので、パネル自体の構成が簡単になり、軽量化を図ることができる庇が得られる。また、パネル内に形成される中空部を有効に利用して照明用の発光ダイオード素子を配置することができ、組立性に優れた庇が得られる。
【００１４】
さらに、前記照明用の発光ダイオード素子は、有底筒状のホルダ内に防水部材を介して保持されており、このホルダが前記開口部内に固定される構成とするのがよい。
【００１５】
かかる庇によれば、照明用の発光ダイオード素子が、有底筒状のホルダ内に防水部材を介して保持されるので、発光ダイオード素子の防水性に優れた庇が得られる。しかも、開口部内にホルダが固定される構成とされているので、照明用の発光ダイオード素子が保持されたホルダを開口部内に固定するという簡単な作業により、パネルに発光ダイオード素子を取り付けることができ、組立作業性に優れた庇が得られる。
【００１６】
また、前記ホルダは、下端部が前記開口部の縁部から下方に突出する構成とするのがよい。
【００１７】
かかる庇によれば、開口部の縁部から下方に突出するホルダの下端部が水切りの作用をなし、発光ダイオード素子の防水性が高まる。
【００１８】
さらに、前記枠材に沿って前記建物の側面側まで付設された補強部材を備え、前記ホルダは前記補強部材に固定される構成とするのがよい。
【００１９】
かかる庇によれば、補強部材に対してホルダを固定することができ、補強部材に沿わせて建物の側面側まで発光ダイオード素子のハーネスを配索することができる。したがって、施工性に優れた庇が得られる。また、発光ダイオード素子が高出力で多量の熱を発生するものであっても、発光ダイオード素子から発生した熱は、ホルダや補強部材を通して面板に伝わり外部に放熱されるため、発光ダイオード素子が高温になるのを防ぐことができる。
【００２０】
また、前記補強部材がアルミニウム合金製の中空押出形材からなり、前記照明用の発光ダイオード素子のハーネスが前記補強部材の内部を通じて前記建物の側面側に配索される構成とするのがよい。このような構成とすることにより、補強部材の内部を通じて発光ダイオード素子のハーネスを建物の側面側に簡単に配索することができ、施工性に優れた庇が得られる。
【００２１】
さらに、前記枠材および面板の一種または全種が、アルミニウム合金製である構成とするのがよい。
【００２２】
かかる庇によれば、強度の割に軽量で腐食し難いというアルミニウム合金のメリットを活かすことができる。すなわち、庇が軽量になるので、施工時の取り扱いが容易で、また、従来の木造住宅にも容易に適用することができる。
さらに、強度上、デザイン上、最適の断面形状を容易に生産性よく得ることができる。
また、廃棄の際の取扱も容易になる。
【００２３】
さらに、前記パネルは、アルミニウム合金製のコア材を用いたハニカム構造である構成とするのがよい。このようにすると、パネルの強度を高めることができ、耐久性に優れた庇が得られる。なお、ハニカム構造を採用したパネルにおいては、ハニカムコアがパネル内に敷き詰められる関係上、前記補強部材を設けて発光ダイオード素子のハーネスに係る配索を行うことが効果的である。
【００２４】
また、前記パネルは、ろう付けにより接合されてなる構成とするのがよい。このようにすると、パネルの接合強度をより高めることができ、より耐久性に優れた庇が得られる。
【００２５】
さらに、前記発光ダイオード素子から発せられる光は、虫を誘引しやすい波長の光を除去された光である構成とするのがよい。このようにすると、パネルの下方に飛翔昆虫などの虫が近寄り難くなり、誘虫性の低減効果に優れた庇が得られる。
【００２６】
また、発せられる光の波長が４００ｎｍ以上である構成とすることにより、飛翔昆虫などの虫が感応性を示して誘引されやすいとされる波長の光が照射されなくなり、パネルの下方に誘引される虫を低減することができる。これにより建物への虫の侵入をも防止することができるようになる。
【００２７】
また、本発明は、建物の側面にブラケットを介して固定され、底面に開口部が設けられたパネルと、このパネルの前記開口部に設けられた照明用の光源と、を備え、前記光源から発せられる光が虫を誘引しやすい波長の光を除去された光であることを特徴とする。
【００２８】
かかる庇によれば、照明用の光源から発せられる光は、虫を誘引しやすい波長の光を除去された光であるので、飛翔昆虫などの虫がパネルの下方に近寄り難くなり、誘虫性の低減効果に優れた庇が得られる。
【００２９】
さらに、本発明は、建物の側面にブラケットを介して固定され、底面に開口部が設けられたパネルと、このパネルの前記開口部に設けられた照明用の光源と、を備え、前記光源から発せられる光の波長が４００ｎｍ以上であることを特徴とする。
【００３０】
かかる庇によれば、光源から発せられる光の波長が４００ｎｍ以上である構成とすることにより、飛翔昆虫などの虫が感応性を示して誘引されやすいとされる波長の光が照射されなくなり、パネルの下方に誘引される虫を低減することができる。これにより建物への虫の侵入をも防止することができるようになる。
【発明の効果】
【００３１】
本発明によれば、照明の収まるスペースを小さく形成することができ、しかも、構成部材の数が少なく構造が簡単な庇が得られる。
また、本発明によれば、照明を有している構成でありながら、誘虫性を低減することができる庇が得られる。
【発明を実施するための最良の形態】
【００３２】
以下、図面を参照して、本発明の実施形態に係る庇について説明する。なお、説明において、「前後」，「左右」，「上下」は、庇を建物の外壁（側面）に取り付けた状態を基準とする。
【００３３】
参照する図面において、図１は本発明の一実施の形態に係る庇を建物の外壁に取り付けた状態を示す斜視図、図２は庇を構成するパネルの要部を断面で示した庇の側面図、図３は同じくコア材を省略した状態でパネルを示した平面図（一部切断）、図４は図３のＶ１−Ｖ１線における要部の拡大断面図である。また、図５は照明部の取付状態を示したパネルの内部の透視斜視図、図６は収容部に固定される固定部材および照明部を分解して示した斜視図、図７は照明部の分解斜視図である。
【００３４】
図１に示すように、本実施形態の庇は、建物の出入口や窓等の外部上方における外壁Ｗに、日よけあるいは雨の室内への浸入を防ぐために設けられ、薄板状のパネル１０と、このパネル１０と外壁Ｗとの間に掛け渡された吊りロッド８と、パネル１０内に設けられ庇の下方を照明するための照明部３０とを主として備えて構成される。
【００３５】
パネル１０の上面の後端側には、取付金具５が設けられており、この取付金具５は、ボルト、ナット等の締結手段６を介して建物の外壁Ｗに突設された取付ブラケットＢ２に固定される。また、パネル１０の後端部から前端側へ所定距離離反した位置の上面にも、取付金具７が設けられており、前記吊りロッド８が締結手段６を介して連結されている。なお、パネル１０の後端部と外壁Ｗとの間には、シール材（図示せず）が充填されている。
【００３６】
パネル１０は、図３に示すように、矩形状に形成される面板としての一対の表面板１１，１２（図３では上側の表面板１１のみ図示）と、これらの表面板１１，１２間の周辺部に介在される枠材１３と、表面板１１，１２間の内部に介在される枠材１４ａ，１４ｂと、枠材１４ａに並設された補強部材１５Ａ，１５Ｂと、これらの表面板１１，１２、枠材１３、枠材１４ａ，１４ｂおよび補強部材１５Ａ，１５Ｂでそれぞれ区画される空間内に介在される複数のコア材１６とを備え、これらの部材がろう付けにより一体的に接合されて構成される。
【００３７】
前記表面板１１，１２は、アルミニウムまたはアルミニウム合金製の板材（圧延版）にて形成されており、また、前記枠材１３、枠材１４ａ，１４ｂはアルミニウム合金製の押出形材にて形成されている。下側の表面板１２には、パネル１０内に設けられる照明部３０を露出するための丸形の開口部１２ａが形成されている（図９参照）。さらに、前記コア材１６は、それぞれが独立した多数の、例えばアルミニウム合金製の帯板を丸めた（屈曲成形した）円筒状に形成されており、コア材１６の側面には、隣接するコア材１６同士を連通させる連通孔１６ａが設けられている。
【００３８】
補強部材１５Ａ，１５Ｂは、アルミニウム合金製の中空押出形材にて形成されており、主として後記する照明部３０のハーネスＨ（Ｈ１，Ｈ２）を配索するための通路として機能するとともに、パネル１０の補強材として機能する。補強部材１５Ａ，１５Ｂは、枠材１４ａに並設されるかたちで、枠材１４ａの側面に予め溶接等により接合されている。なお、この接合は、仮組み程度に行うものであってもよく、ろう付けによりパネル１０を組み立てる際に、枠材１４ａに補強部材１５Ａ，１５Ｂが強固に接合されるようにろう材を回り込ませてもよい。
図２，図３に示すように、補強部材１５Ａの先端部１５ａ、および補強部材１５Ａと補強部材１５Ｂとの間の部分（中間部）には、有底円筒状の収容部１７，１７が溶接等により固定される。これらの収容部１７は、パネル１０内に照明部３０を収容するための中空部を確保する役割をなす。なお、図３に示すように、補強部材１５Ｂの後端部１５ｂに対峙する枠材１３の側面には、後記する照明部３０のハーネスＨ（Ｈ１，Ｈ２）をパネル１０の外部に導出するための導出孔１３ａが貫通形成されている。なお、導出孔１３ａには、防水のためのコーキング処理等が施される。
【００３９】
収容部１７は、図４，図５に示すように、表面板１１，１２間に介在されてろう付け溶接により固定されるようになっており、さらに図６に示すように、開口部１７ａを通じて内側の空間に照明部３０が挿入可能に形成されている。収容部１７の上部の径方向両側部には、照明部３０のハーネスＨ（Ｈ１，Ｈ２）を配索するための貫通孔１７ｂ，１７ｂが形成されている。このような収容部１７には、照明部３０を固定するための部材として、固定部材１８が収容されて固定される。
【００４０】
固定部材１８は、円筒状を呈しており、収容部１７に照明部３０を固定するためのスペース部材として機能する。固定部材１８の上部には、凹溝１８ａが径方向に横断するかたちで形成されている。この凹溝１８ａは、中空部１８ｂと連通し、かつ、収容部１７の貫通孔１７ｂ，１７ｂに対応した位置関係を有しており、収容部１７に固定部材１８が固定された状態で、当該固定部材１８の下端部に固定される照明部３０のハーネスＨ（Ｈ１，Ｈ２）の配索路として機能する。つまり、照明部３０からのハーネスＨ（Ｈ１，Ｈ２）は、固定部材１８の中空部１８ｂから凹溝１８ａを通って収容部１７の貫通孔１７ｂに配索され、この貫通孔１７ｂから補強部材１５Ａまたは補強部材１５Ｂの中空部（内部）に導出されるようになっている。また、図５に示すように、補強部材１５Ａと補強部材１５Ｂとの間の部分（中間部）に配置された収容部１７においては、補強部材１５Ａの先端部１５ａ側に固定された照明部３０のハーネスＨ１の通り抜けを可能にする配索路としても機能する。
【００４１】
このような固定部材１８は、図６に示すように、収容部１７の底部の下面１７ｃに上端部がろう付けされて収容部１７内に固定され、下端部に照明部３０がねじ３４により固定される。図４に示すように、照明部３０は、固定部材１８に固定された状態で、その下端部３０ａが、下側の表面板１２の開口部１２ａに露出して表面板１２の下面と略面一となるに各部の寸法が調整されている。
【００４２】
照明部３０は、図７に示すように、複数部品からなる有底円筒状のホルダ内に照明用の発光ダイオード素子Ｄが保持されて構成されており、ベース部３１と、このベース部３１の外周段部３１ａに嵌合した状態で接合される円筒状の胴部３２と、この胴部３２の内側面に嵌め入れられてベース部３１の上面に固定される円板状のカバー３３とからなっている。ベース部３１、胴部３２およびカバー３３は、いずれも、アルミニウム合金製からなる。
【００４３】
発光ダイオード素子Ｄは、発せられる光の波長が４００ｎｍ以上とされたものが採用されている。つまり、発光ダイオード素子Ｄは、４００ｎｍ以上の可視領域の光を出力することが可能であるとともに、飛翔昆虫などの虫が感応性を示しやすいとされる４００ｎｍ未満の紫外光を照射しないようになっている。したがって、例えば、４５０ｎｍの波長をピークに出力する白色の光やそれ以上の波長をピークとするその他の有色の光によってパネル１０の下方を明るく照らすことができ、その一方で、４００ｎｍ未満の紫外光がカットされていることによって、誘虫性の低減効果が期待できる。
【００４４】
ベース部３１は有底円筒状を呈して中空部３１ｃを有し、また、底板（図では上板）の上面周部には、照明用の発光ダイオード素子Ｄが組み付けられる凹部３１ｂが形成されている。本実施形態では、凹部３１ｂが底板の周りに９０度間隔を置いて計４つ形成されており、これによって発光ダイオード素子Ｄが計４つ組み付けられるようになっている。各凹部３１ｂには、中空部３１ｃに連通する通孔３１ｄが形成されており、各通孔３１ｄは、発光ダイオード素子ＤのハーネスＨを中空部３１ｃへ引き出すための引出孔として機能する。そして、各ハーネスＨは束ねられるなどして中空部３１ｃから外部に引き出される。なお、中空部３１ｃには、図示しない防水部材としてのコーキング材などが充填され、少なくとも中空部３１ｃの開口がコーキング材で閉塞されるようになっている。本実施形態では、発光ダイオード素子Ｄの周りにもコーキング材が充填されており、発光ダイオード素子Ｄは、コーキング材を介してホルダ内に保持された状態に設けられている。
【００４５】
また、ベース部３１の底板の周部には、カバー３３を固定するためのねじ３４（図９参照）が螺入されるねじ穴３１ｆが形成されている。さらに、ベース部３１の底板の中央部には、カバー３３を位置決めするための凸部３１ｅが突設されている。
【００４６】
カバー３３には、ベース部３１の凸部３１ｅに係合する位置決め孔３３ｅと、発光ダイオード素子Ｄの発光部が露出する開口３３Ｄと、カバー３３をベース部３１に固定するためのねじ３４（図９参照）が挿通される挿通孔３３ｆが形成されている。このようなカバー３３は、図８（ｂ）に示すように、ベース部３１の底板に取り付けられて、各発光ダイオード素子Ｄをベース部３１との間に挟持する。
【００４７】
前記したパネル１０を成形するには、各部材を例えば一方の表面板１１に配設するとともに他方の表面板１２をこれらに載置してろう付けにより一体成形する。
より詳しくは、表面板１１の周辺部に枠材１３を配設するとともに、表面板１１の所定の位置に、補強部材１５Ａ，１５Ｂが接合された枠材１４ａおよび枠材１４ｂを配設する。そして、補強部材１５Ａの先端部１５ａに収容部１７を配設するとともに、補強部材１５Ａと補強部材１５Ｂとの間に収容部１７を配設する。
また、収容部１７内に固定部材１８を図示しないろう材とともに挿入して、ろう付けによる接合固定に備える。このとき、収容部１７の貫通孔１７ｂ，１７ｂに固定部材１８の凹溝１８ａを位置合わせする。なお、収容部１７の底部の底面に固定部材１８の凹溝１８ａに係止する図示しない突部を予め形成しておく構成とすることにより、収容部１７に対する固定部材１８の位置合わせ作業が簡略化される。
【００４８】
その後、表面板１１と前記各部材とで形成される空間内に複数のコア材１６を互いに接触させて連通孔１６ａによる通路を形成した状態で配列する。このとき、取付金具５，７を固定するための図示しない固定部材も所定位置に配置する。そして、これらの上面に他方の表面板１２を載置し、表面板１１，１２を図示しない型枠にて固定する。その後、これを置換室内に配置し、当該室内を真空にした後、窒素などの不活性ガスで置換する。その際、不活性ガスによる置換は、コア材１６に形成された連通孔１６ａを通じてスムーズに行われる。次に、これをろう付け炉に配置し、ろう付けを行う。
【００４９】
そして、パネル１０を冷却した後にパネル１０に照明部３０を取り付ける。照明部３０の取り付けは、図９に示すように、表面板１２の開口部１２ａから収容部１７（図６参照）内に照明部３０を挿入してねじ３４を螺合することにより行う。このときの、ハーネスＨの配索を図５，図６を適宜参照して説明すると、ハーネスＨ２は、固定部材１８の中空部１８ｂから凹溝１８ａ、収容部１７の貫通孔１７ｂを通じて補強部材１５Ｂ（図５参照）の中空部に導出するようにし、そしてさらに、図３に示すように、補強部材１５Ｂの後端部１５ｂから枠材１３に予め形成された貫通孔１３ａ，１３ａを通じてパネル１０の後端外側に導出する。このハーネスＨ２の導出にあたっては、ワイヤー等を用いて引っ掛けながら引き出すことにより簡単に行うことができる。
【００５０】
そして、このようにして設けられたパネル１０は、固定部材５，７と吊りロッド８とを用いて建物の外壁Ｗに固定される。その際、パネル１０の外部に引き出されたハーネスＨが建物側と電気的に接続される。なお、図１に示すように、パネル１０の周部には、断面Ｌ字形状の先端部材１９ａや雨樋１９ｂが取り付けられる。
【００５１】
以上説明した庇によれば、構成部材の数が少なく構造が簡単であるという利点が得られる。また、庇に設けられる照明として照明用の発光ダイオード素子Ｄを用いた照明部３０を採用しているので、従来のように照明器具（電球）を設置する場合に比べて、パネル１０内における設置スペース（照明の納まるスペース）を小さく形成することができ、それに見合う薄さにパネル１０を形成することができる。したがって、照明を備え、かつ、薄型化を図ることができる庇が得られる。
【００５２】
また、庇に設けられる照明として発光ダイオード素子Ｄを備えた照明部３０が用いられているので、省電力性に優れ、しかも耐久性が高く、メンテナンス性にも優れた庇が得られる。
【００５３】
しかも、このようなパネル１０により庇が構築されるとともに、その底面（表面板１２）の開口部１２ａから照明部３０による照明の光が差して足元を照らすようになっているので、従来の庇のような重圧感が無く、軽やかで、開放感が得られるという利点が得られる。
【００５４】
また、パネル１０は、枠材１３や枠材１４ａ，１４ｂと、これらを挟んで接合される一対の表面板１１，１２とを含んで構成されるので、パネル１０自体の構成が簡単になり、軽量化を図ることができる。また、パネル１０内に形成される空間（収容部１７）を有効に利用して照明部３０を配置することができ、組立性に優れた庇が得られる。
【００５５】
さらに、発光ダイオード素子Ｄは、ホルダ内にコーキング材を介して保持されているの
で、防水性に優れている。しかも、表面板１２の開口部１２ａを通じて収容部１７内に照
明部３０が固定される構成とされているので、照明部３０の取り付け作業が簡単であり、
組立作業性に優れている。また、発光ダイオード素子Ｄが高出力で多量の熱を発生するも
のであっても、その熱は、収容部１７、補強部材１５Ａ，１５Ｂを通して表面板１１，１
２に伝わり外部に放熱されるので、照明部３０が高温になるのを防ぐことができる。
【００５６】
また、補強部材１５Ａ，１５Ｂを通じて建物の外壁Ｗ側（建物の側面側）までハーネスＨを配索することができるので、照明部３０がパネル１０に対して後付け、つまり、ろう付け後に取り付けられる構成でありながらも施工性に優れた庇が得られる。
【００５７】
さらに、枠材１３，１４ａ，１４ｂ、補強部材１５Ａ，１５Ｂが、アルミニウム合金製の押出形材からなるので、強度の割に軽量で腐食し難いというアルミニウム合金のメリットを活かすことができる。すなわち、庇が軽量になるので、施工時の取り扱いが容易で、また、従来の木造住宅にも容易に適用することができる。
さらに、強度上、デザイン上、最適の断面形状を容易に生産性よく得ることができる。また、廃棄の際の取扱も容易になる。
【００５８】
さらに、パネル１０は、アルミニウム合金製のコア材１６を用いたハニカム構造であるので、パネル１０の強度を高めることができ、耐久性に優れた庇が得られる。なお、ハニカム構造を採用したパネル１０においては、コア材１６がパネル１０内に敷き詰められる関係上、補強部材１５Ａ，１５Ｂを設けて照明部３０のハーネスＨに係る配索を行うことが効果的である。
【００５９】
また、パネル１０がろう付けにより接合されてなる構成であるので、パネル１０の接合強度が高く、より耐久性に優れた庇が得られる。
【００６０】
さらに、発光ダイオード素子Ｄから発せられる光は、虫を誘引しやすい波長の光が除去された４００ｎｍ以上の波長とされているので、パネル１０の下方に飛翔昆虫などの虫が近寄り難くなり、照明を有している構成でありながら、誘虫性の低減効果に優れた庇が得られる。また、建物への虫の侵入をも防止することができるようになる。
【００６１】
以上、本発明に係る実施形態について説明したが、これらをさらに種々変更して用いることも可能である。
例えば、図１０に示すように、高さ寸法の大きい固定部材１８’を用いることにより、固定部材１８’に固定される照明部３０は、その下端部３０ａが開口部１２ａの縁部から下方に突出する状態となるようにパネル１０に設置されるようにしてもよい。このようにした庇によれば、開口部１２ａの縁部から下方に突出する照明部３０の下端部３０ａが水切りの作用をなし、発光ダイオード素子Ｄの防水性が高まる。
また、前記実施形態では、照明部３０に発光ダイオード素子Ｄが計４個設けられたものを示したが、発光ダイオード素子Ｄの数は、任意に設定することができる。例えば、図１１に示すように、１２個の発光ダイオード素子Ｄが円弧状に配置された照明部３０’を構成することができる。また、これとは逆に、３個の発光ダイオード素子Ｄを図示しない三角形の頂点に位置するように配置して照明部を構成することもできる。またさらに、一つの発光ダイオード素子Ｄで照明部を構成することもできる。この場合には、照明部を小型化することができるので、補強部材１５Ａ，１５Ｂの中空部に照明部を直接収容する形態を採用することもできる。
【００６２】
また、前記実施形態では、照明用の光源として発光ダイオード素子Ｄを採用したがこれに限られるものではなく、蛍光灯やその他種々の照明器具を用いてもよい。この場合、４００ｎｍ未満の波長の光をカットすることのできるフィルター等の透過光調整手段を設け、飛翔昆虫などの虫を誘引する可能性のある波長の光をカットするように構成する。
このような光源を有する庇によれば、飛翔昆虫などの虫がパネルの下方に近寄り難くなり、誘虫性の低減効果に優れた庇が得られる。また、建物への虫の侵入をも防止することができる。
【図面の簡単な説明】
【００６３】
【図１】本発明の一実施の形態に係る庇を建物の外壁に取り付けた状態を示す斜視図である。
【図２】庇を構成するパネルの要部を断面で示した庇の側面図である。
【図３】同じくコア材を省略した状態でパネルを示した平面図（一部切断）である。
【図４】図３のＶ１−Ｖ１線における要部の拡大断面図である。
【図５】照明部の取付状態を示したパネルの内部の透視斜視図である。
【図６】収容部に固定される固定部材および照明部を分解して示した斜視図である。
【図７】照明部の分解斜視図である。
【図８】（ａ）は発光ダイオード素子の配置例を示した説明図、（ｂ）は図８（ａ）のＶ２−Ｖ２線断面図である。
【図９】パネルに取り付けられた照明部を下方から見た斜視図である。
【図１０】照明部のその他の設置例を示す要部の拡大断面図である。
【図１１】発光ダイオード素子のその他の配置例を示した説明図である。
【符号の説明】
【００６４】
１０    パネル
１１    表面板（面板）
１２    表面板（面板）
１２ａ  開口部
１３    枠材
１３ａ  導出孔
１４    枠材
１４ａ，１４ｂ  枠材
１５Ａ，１５Ｂ  補強部材
１６    コア材
１６ａ  連通孔
１７    収容部
１７ｂ  貫通孔
１８    固定部材
１８ａ  凹溝
１８ｂ  中空部
３０    照明部
３０ａ  下端部
Ｈ１，Ｈ２    ハーネス（Ｈ）
Ｂ１，Ｂ２      ブラケット
Ｄ      発光ダイオード素子
Ｗ      外壁
Ｂ１，Ｂ２    ブラケット
【図１】
2006328936.tif 000003
【図２】
2006328936.tif 000004
【図３】
2006328936.tif 000005
【図４】
2006328936.tif 000006
【図５】
2006328936.tif 000007
【図６】
2006328936.tif 000008
【図７】
2006328936.tif 000009
【図８】
2006328936.tif 000010
【図９】
2006328936.tif 000011
【図１０】
2006328936.tif 000012
【図１１】
2006328936.tif 000013